(57)【特許請求の範囲】
【請求項１】
回動不能にリ−ル本体に支持されたスプ−ル軸の前部にスプ−ルを回動可能に嵌合し、該スプ−ルの前方収容部に設けた制動部材を前記スプ−ル軸の先端部に螺合した調節部材の回転操作で押圧することにより、前記スプ−ルのスプ−ル軸に対する摩擦結合力を調節可能とした魚釣用スピニングリ−ルの制動装置において、前記スプ−ル軸のスプ−ル嵌合支持部より後方側にシ−ル部材の基部を取り付け固定し、該シ−ル部材の摺接部を前記スプ−ル後部に摺接可能としたことを特徴とする魚釣用スピニングリ−ル。
【発明の詳細な説明】
【０００１】
【発明の属する技術分野】
本発明は、スプ−ル内に収容した制動部材に対する防水、防塵の向上を図った魚釣用スピニングリ−ルの改良に関する。
【０００２】
【従来の技術】
魚釣用リ−ルは、海水、水、砂、塵埃、異物等が付着浸入し易い環境の厳しい釣場で使用されることより、耐食性の良好な材料や表面処理がリ−ル本体を構成する各部材に施されている。
又、これら不純物の内部浸入への防止を図り、各部が支障なく機能するために、制動装置を収容したスプ−ルに防水、防塵構造を備えたものが、特開平１１−２３９４３７号公報等で知られている。
前記公報の構成は、スプ−ル内に収容された制動機構の前部のスプ−ルとドラグノブとの間及びスプ−ル後部のスプ−ルとスプ−ル軸との間に防水用摺接部材を設けて該防水用摺接部材の弾性変形可能な摺接部を何れか一方の摺接面に摺接して、特に、スプ−ル後部からの制動機構内部への水やゴミ等の不純物の浸入をも防止することに配慮したものであり、これにより、制動機構に対する防水効果が総体的に向上された。
【０００３】
実際の釣りにおいて、対処魚や使用釣糸等に応じて好ましいドラグ力が予め強弱に設定されたり、仕掛け長さの微調節や携帯時等に必要に応じてドラグ力を緩めることがあるが、上記従来技術のように、スプ−ル後部の防水用摺接部材がスプ−ル軸の座板とスプ−ルとの間に挟着支持する場合、ドラグノブを回転操作して制動力を弱めた場合に挟着力の低下に伴ってシ−ル部材としての密閉性が低下してごく僅かな隙間が生じて水等が浸入してしまい、防水性の面において充分ではない等の課題が残されている。
【０００４】
【発明が解決しようとする課題】
解決しようとする問題点は、スプ−ル後部の防水用摺接部材がスプ−ル軸の座板とスプ−ルとの間に挟着支持する場合、ドラグノブを回転操作して制動力を弱めた場合に挟着力の低下に伴ってシ−ル部材としての密閉性が低下してごく僅かな隙間が生じて水等が浸入してしまい、防水性の面において充分ではないことである。
【０００５】
本発明の目的は前記欠点に鑑み、スプ−ル後部に対する防水を確実にしてスプ−ル内部の各部の機能に支障を来さぬようにした魚釣用スピニングリ−ルを提供することである。
【０００６】
【課題を解決するための手段】
上記課題を解決するために、
請求項１に係わる本発明は、回動不能にリ−ル本体に支持されたスプ−ル軸の前部にスプ−ルを回動可能に嵌合し、該スプ−ルの前方収容部に設けた制動部材を前記スプ−ル軸の先端部に螺合した調節部材の回転操作で押圧することにより、前記スプ−ルのスプ−ル軸に対する摩擦結合力を調節可能とした魚釣用スピニングリ−ルの制動装置において、前記スプ−ル軸のスプ−ル嵌合支持部より後方側にシ−ル部材の基部を取り付け固定し、該シ−ル部材の摺接部を前記スプ−ル後部に摺接可能としたことを要旨とするものである。
【０００７】
【発明の実施の形態】
請求項１の本発明により、スプ−ル軸１のスプ−ル嵌合支持部３より後方側の周溝１ｆにシ−ル部材２５の基部２５ｂを取り付け固定し、シ−ル部材２５の摺接部２５ｄ、２５ｅをスプ−ル２の後部に摺接可能に嵌合したので、実釣時にドラグノブ８ａを回転操作して制動力を弱めた場合においても、シ−ル部材２５としての密閉シ−ル機能が低下することがなく、スプ−ル２内部の制動機能の防水性能を、実釣時において常時、充分に維持し発揮できる。
【０００８】
【実施例】
以下、図示の実施例によって本発明を説明すると、図１は魚釣用スピニングリ−ルのスプ−ルとスプ−ル軸の要部断面平面図、図２はスプ−ルの分解断面側面図、図３はスプ−ル軸とスプ−ル嵌合支持部の拡大断面側面図、図４は押圧部材の拡大平面図、図５はクリック係合子の拡大平面図である。
【０００９】
魚釣用スピニングリ−ルは、図示しないリ−ル本体に回動不能に支持されて前側に突出されたスプ−ル軸１の先端にスプ−ル２が取り付けられている。
スプ−ル軸１は太径部１ａの先端側に段部で太径部１ａより小径の小径部１ｂが形成され、先端にネジ部１ｃが形成されている。
小径部１ｂには軸方向と直交する透孔１ｄが穿設されている。
小径部１ｂ外周には筒状のスプ−ル嵌合支持部３と軸受１０と筒状のスプ−ル嵌合支持部３′が嵌合されている。
【００１０】
スプ−ル２は、内側軸筒部２ａと、内側軸筒部２ａより大径の筒部２ｂと、内側軸筒部２ａの前側の凹部からなる制動部材Ａの開口収容部２ｃと、開口収容部２ｃの周面に形成された複数条の軸方向の縦溝２ｄと、開口収容部２ｃより前側の凹部からなる開口部２ｅと、開口部２ｅの周面に形成されたネジ部２ｆと、大径の筒部２ｂ内周に形成されたクリック凹凸歯２ｇと、釣糸が巻回される外周の釣糸巻回胴部２ｈと、前側の鍔部２ｉと、後側の大径の筒部２ｊとで形成されている。
【００１１】
凹部からなる制動部材Ａの開口収容部２ｃには制動部材Ａの摩擦板１１と制動板１２と摩擦板１１と制動板１３と摩擦板１１と制動板１２と摩擦板１１が収容され、凹部からなる開口部２ｅにはＯリングからなるシ−ル部材１４とクリック機構Ｂの皿状のラチェットリング４と皿状のクリック係合子ホルダ−からなる押圧部材５が収容される。
前側の鍔部２ｉの前側には段部２ｋが形成されて硬質のリング状の鍔部１５が段部２ｋに嵌められるように鍔部２ｉに重ねられてナット部材６で取り付けられている。
【００１２】
スプ−ル嵌合支持部３は筒部３ａの後端に２段の鍔部３ｂ、３ｃが形成され、鍔部３ｃの前側に周溝３ｄが、内側に逃げ凹部３ｅと周溝３ｆが形成されている。
鍔部３ｃの前側の筒部３ａ外周に摩擦板１６が嵌合されている。
スプ−ル嵌合支持部３′は筒部３ｇに軸方向と直交する透孔３ｈが穿設されている。
筒部３ｇの後端内側に逃げ凹部３ｉが形成されている。
透孔３ｈと透孔１ｄには係合ピン１７が挿脱自在に挿入される。
スプ−ル嵌合支持部３の筒部３ａの周溝３ｄにＯリングからなるシ−ル部材１８が、周溝３ｆにＯリングからなるシ−ル部材１９が嵌合されている。
【００１３】
スプ−ル嵌合支持部３′の筒部３ｇの外周には軸受２０が嵌合されている。
軸受１０と軸受２０の外周にはスプ−ル２の内側軸筒部２ａが嵌合され、スプ−ル２の内側軸筒部２ａより前側の筒部３ｇ外周には制動部材Ａの摩擦板１１と制動板１２と摩擦板１１と制動板１３と摩擦板１１と制動板１２と摩擦板１１とクリック機構Ｂの皿状のラチェットリング４と皿状のクリック係合子ホルダ−からなる押圧部材５が嵌合されている。
制動板１２の外周の突起は縦溝２ｄでスプ−ル２に回り止めされている。
制動板１３の中心透孔と皿状のラチェットリング４の中心透孔４ａはスプ−ル嵌合支持部３′の筒部３ｇ外周に回り止め嵌合されている。
係合ピン１７が挿脱自在に挿入されたスプ−ル軸１の透孔１ｄとスプ−ル嵌合支持部３′の透孔３ｈは、軸受２０で閉塞されている。
皿状のラチェットリング４は底面中心に中心透孔４ａが、外周壁４ｂの内周にクリック凹凸歯４ｃが形成されている。
【００１４】
皿状のクリック係合子ホルダ−からなる押圧部材５は図１から図３のように、内側の底面５ａと、底面５ａの外側の押圧面５ｂと、底面５ａの中心透孔５ｃと、外周壁５ｄと、外周壁５ｄに穿設された透孔５ｅ、５ｆと回り止め用切欠き５ｇ、５ｇとで形成されている。
クリック係合子ホルダ−からなる押圧部材５の中にはクリック係合子７が取り付けられている。
クリック係合子７は図４のように円弧部７ａと、円弧部７ａが開放された係止部７ｂ、７ｂと、並行な摺動案内部分７ｃ、７ｃと山形傾斜部分７ｄで形成されている。
クリック係合子ホルダ−からなる押圧部材５の外周壁５ｄ内にクリック係合子７が挿入されて透孔５ｅの中に摺動案内部分７ｃ、７ｃと山形傾斜部分７ｄが挿入され、透孔５ｆ内の両縁に係止部７ｂ、７ｂが係止される。
山形傾斜部分７ｄは皿状のラチェットリング４の外周壁４ｂの内周に形成されたクリック凹凸歯４ｃに係合される。
【００１５】
クリック係合子ホルダ−からなる押圧部材５はドラク調整部材８に取り付けられ、ドラク調整部材８とクリック係合子ホルダ−からなる押圧部材５の間に環状シ−ル部材２１が挾み込まれている。
ドラク調整部材８はドラク調整部材８の内側に回り止め嵌合されたナット体２２のナット部２２ａがスプ−ル軸１の先端のネジ部１ｃに螺合されることでスプ−ル軸１に取り付けられている。
【００１６】
ナット部材６は筒部６ａと、鍔部６ｂと、筒部６ａ外周のネジ部６ｃと、鍔部６ｂの内側の凹部からなる開口部６ｄで形成されている。
ネジ部６ｃはスプ−ル２のネジ部２ｆに螺合されると共に筒部６ａの先端でＯリングからなるシ−ル部材１４が押圧される。
ドラク調整部材８とクリック係合子ホルダ−からなる押圧部材５の間に挾み込まれた環状シ−ル部材２１は、ナット部材６の開口部６ｄの縁部内周面に摺接されている。
【００１７】
ドラク調整部材８の表面にはドラグノブ８ａが、裏面には筒部８ｂと数条の腕部８ｃが形成されて腕部８ｃの先端に鈎部８ｄが形成されている。
鈎部８ｄはクリック係合子ホルダ−からなる押圧部材５の透孔５ｅ、５ｆに係止されてドラク調整部材８とクリック係合子ホルダ−からなる押圧部材５が一体化されている。
筒部８ｂの内面には回り止め面８ｅが形成されてナット体２２に形成された回り止め面２２ｂが係合される。
ナット体２２と皿状のクリック係合子ホルダ−からなる押圧部材５の底面５ａの間には発条２３が挿入されている。
【００１８】
スプ−ル嵌合支持部３の鍔部３ｃの外周には皿状のクリック係合子ホルダ−からなる押圧部材５と略同形の皿状のクリック係合子ホルダ−５′の中心透孔５ｈが回り止め嵌合され、皿状のクリック係合子ホルダ−５′の中にはクリック係合子７と略同形のクリック係合子７′が取り付けられている。
クリック係合子７′の山形傾斜部分７ｄはスプ−ル２のクリック凹凸歯２ｇに係合される。
【００１９】
スプ−ル軸１の先端にスプ−ル２と、制動部材Ａと、ドラク調整部材８と一体化されたクリック機構Ｂとが組み込まれる時は、スプ−ル軸１の小径部１ｂ外周に筒状のスプ−ル嵌合支持部３と軸受１０と筒状のスプ−ル嵌合支持部３′が嵌合されて透孔３ｄと透孔１ｄに係合ピン１７が挿入されると共にスプ−ル嵌合支持部３′の筒部３ｇの外周に軸受２０が嵌合される。
次にスプ−ル嵌合支持部３′の筒部３ｇの外周に制動部材Ａと、ドラク調整部材８と一体化されたクリック機構Ｂが嵌合されてスプ−ル軸１の先端のネジ部１ｃにドラク調整部材８の内側のナット体２２のナット部２２ａが螺合される。
【００２０】
前記のようにスプ−ル嵌合支持部３の筒部３ａの周溝３ｄにＯリングからなるシ−ル部材１８が、周溝３ｆにＯリングからなるシ−ル部材１９が嵌合されてスプ−ル２の後側から水等の浸入が防止できると共に、ドラク調整部材８のドラグノブ８ａが回転操作されて制動力を弱めた場合にも、密閉性が低下しない。
更に第１実施例では、スプ−ル２の前側はドラク調整部材８とクリック係合子ホルダ−からなる押圧部材５の間に挾み込まれた環状シ−ル部材２１が、ナット部材６の開口部６ｄの縁部内周面に摺接されて内部が防水されている。
【００２１】
前記のように魚釣用スピニングリ−ルが構成されると、スプ−ル軸１に嵌合するスプ−ル２との径方向対向面間にシ−ル部材１８、１９が介在されているので、実釣時にドラグノブ８ａを回転操作して制動力を弱めた場合においても、シ−ル部材１８、１９としての密閉シ−ル機能が低下することがなく、スプ−ル２内部の制動機能の防水性能を、実釣時において常時、充分に維持し発揮できる。
【００２２】
図６はスプ−ル軸とスプ−ル嵌合支持部の拡大断面側面図である。
【００２３】
スプ−ル軸１の小径部１ｂに周溝１ｅが形成されてＯリングからなるシ−ル部材２４が嵌合されている。
【００２４】
図７、図８は本発明の請求項１に係わる第１実施例で、図７は魚釣用スピニングリ−ルのスプ−ルとスプ−ル軸の要部断面平面図、図８はスプ−ル軸とスプ−ル嵌合支持部の拡大断面側面図である。
【００２５】
第１実施例では、スプ−ル軸１の太径部１ａの前側に周溝１ｆが形成されている。
周溝１ｆには大径の円板状シ−ル部材２５の円板部２５ａの中心透孔が穿設された基部２５ｂが嵌合されている。
シ−ル部材２５は円板部２５ａと、中心透孔が穿設された基部２５ｂと、円板部２５ａ外周から前方に延びた円筒部２５ｃと、円筒部２５ｃの外側の摺接部２５ｄで形成されている。
スプ−ル２の釣糸巻回胴部２ｈの内側後端には浅い凹部からなる摺接部２ｋが形成されてシ−ル部材２５の摺接部２５ｄが嵌合摺接されている。
【００２６】
第１実施例のように魚釣用スピニングリ−ルが構成されると、スプ−ル軸１のスプ−ル嵌合支持部３より後方側の周溝１ｆにシ−ル部材２５の基部２５ｂを取り付け固定し、シ−ル部材２５の摺接部２５ｄをスプ−ル２の後部の浅い凹部からなる摺接部２ｋに摺接可能に嵌合したので、実釣時にドラグノブ８ａを回転操作して制動力を弱めた場合においても、シ−ル部材２５としての密閉シ−ル機能が低下することがなく、スプ−ル２内部の制動機能の防水性能を、実釣時において常時、充分に維持し発揮できる。
【００２７】
図９は本発明の請求項１に係わる第２実施例で、図９は魚釣用スピニングリ−ルのスプ−ルとスプ−ル軸の要部断面平面図である。
【００２８】
第２実施例ではスプ−ル軸１の太径部１ａ前側には周溝１ｆが形成されている。
周溝１ｆには大径の円板状シ−ル部材２５の円板部２５ａの中心透孔が穿設された基部２５ｂが嵌合されている。
シ−ル部材２５は円板部２５ａと、中心透孔が穿設された基部２５ｂと、円板部２５ａ外周から前方に延びた円筒部２５ｃと、円筒部２５ｃの内側の摺接部２５ｅで形成されている。
摺接部２５ｅはスプ−ル２の大径の筒部２ｂ外周に嵌合摺接されている。
【００２９】
【発明の効果】
本発明は、以上説明したような形態で実施され、以下に記載されるような効果を奏する。
【００３０】
スプ−ル軸のスプ−ル嵌合支持部より後方側の周溝にシ−ル部材の基部を取り付け固定し、シ−ル部材の摺接部をスプ−ルの後部に摺接可能に嵌合したので、実釣時にドラグノブを回転操作して制動力を弱めた場合においても、シ−ル部材としての密閉シ−ル機能が低下することがなく、スプ−ル内部の制動機能の防水性能を、実釣時において常時、充分に維持し発揮できる。
【図面の簡単な説明】
【図１】魚釣用スピニングリ−ルのスプ−ルとスプ−ル軸の要部断面平面図である。
【図２】同スプ−ルの分解断面側面図である。
【図３】同スプ−ル軸とスプ−ル嵌合支持部の拡大断面側面図である。
【図４】同押圧部材の拡大平面図である。
【図５】同クリック係合子の拡大平面図である。
【図６】スプ−ル軸とスプ−ル嵌合支持部の拡大断面側面図である。
【図７】本発明の請求項１に係わる第１実施例で、魚釣用スピニングリ−ルのスプ−ルとスプ−ル軸の要部断面平面図である。
【図８】同スプ−ル軸とスプ−ル嵌合支持部の拡大断面側面図である。
【図９】本発明の請求項１に係わる第２実施例で、魚釣用スピニングリ−ルのスプ−ルとスプ−ル軸の要部断面平面図である。
【符号の説明】
１  スプ−ル軸
２  スプ−ル
２ｃ  収容部
３  スプ−ル嵌合支持部
８  ドラク調整部材
８ａ  ドラグノブ
２５  シ−ル部材
２５ｂ  基部
２５ｄ、２５ｅ  摺接部
Ａ  制動部材
【図１】
0003616300.tif 000002
【図２】
0003616300.tif 000003
【図３】
0003616300.tif 000004
【図４】
0003616300.tif 000005
【図５】
0003616300.tif 000006
【図６】
0003616300.tif 000007
【図７】
0003616300.tif 000008
【図８】
0003616300.tif 000009
【図９】
0003616300.tif 000010